(57)【要約】【課題】回転清掃体のブラシ毛の間に入り込んだ塵埃を回転清掃体の回転によって速やかに除去可能な吸込口体、および電気掃除機を提案する。【解決手段】吸込口体２６は、底面に配置される吸込口２８と、吸込口２８に繋がる吸込室６３と、吸込室６３を介して吸込口２８に繋がる中継管６６と、を有する吸込口本体部３２と、吸込口本体部３２に回転可能に支持されて吸込室６３に配置され、かつ法線方向に延びるブラシ毛６５を有する回転清掃体２９と、吸込口本体部３２に収容される電動機３１と、電動機３１から回転清掃体２９へ駆動力を伝える動力伝達機構５１と、吸込室６３の内壁面７１から突出してブラシ毛６５に接触し、中継管６６に吸い込まれる空気を絞るブラシ毛塵埃除去部５５と、を備えている。【選択図】  図５
2019025150.tif 000002
【特許請求の範囲】
【請求項１】
底面に配置される吸込口と、前記吸込口に繋がる吸込室と、前記吸込室を介して前記吸込口に繋がる吐出口と、を有する吸込口本体部と、
前記吸込口本体部に回転可能に支持されて前記吸込室に配置され、かつ法線方向に延びるブラシ毛を有する回転清掃体と、
前記吸込口本体部に収容される電動機と、
前記電動機から前記回転清掃体へ駆動力を伝える動力伝達機構と、
前記吸込室の内壁面から突出して前記ブラシ毛に接触し、前記吐出口に吸い込まれる空気を絞るブラシ毛塵埃除去部と、を備える吸込口体。
【請求項２】
前記吐出口に吸い込まれる空気の流速を高める量の前記ブラシ毛を備える請求項１に記載の吸込口体。
【請求項３】
前記ブラシ毛塵埃除去部は、前記回転清掃体の外形に倣う円弧形の接触面を有する請求項１または２に記載の吸込口体。
【請求項４】
前記接触面は凸凹を有する請求項３に記載の吸込口体。
【請求項５】
前記ブラシ毛塵埃除去部は、前記吐出口のうち前記吸込口から遠い部位を覆って塞ぐ請求項１から４のいずれか１項に記載の吸込口体。
【請求項６】
前記ブラシ毛は、ポリテトラフルオロエチレンの被覆を有する請求項１から５のいずれか１項に記載の吸込口体。
【請求項７】
前記ブラシ毛は、毛脚が長く、前記回転清掃体の回転に伴って前記ブラシ毛塵埃除去部に逐次に接触する長ブラシ毛と、毛脚が短く、前記ブラシ毛塵埃除去部から離間している短ブラシ毛と、を含む請求項１から６のいずれか１項に記載の吸込口体。
【請求項８】
前記ブラシ毛塵埃除去部は、孔を有する請求項１から７のいずれか１項に記載の吸込口体。
【請求項９】
前記吸込口本体部は、前記電動機を収容する機械室と、前記機械室と前記吸込室とを繋ぐ電動機冷却風口を有する請求項１から８のいずれか１項に記載の吸込口体。
【請求項１０】
掃除機本体と、
前記掃除機本体に収容されて負圧を発生させる電動送風機と、
前記電動送風機に流体的に接続される請求項１から９のいずれか１項に記載の吸込口体と、を備える電気掃除機。
【発明の詳細な説明】
【技術分野】
【０００１】
本発明に係る実施形態は、吸込口体および電気掃除機に関する。
【背景技術】
【０００２】
回転ブラシのブラシ台の外周面に径方向に沿って、先端部を折り返した清掃部材を突出させ、清掃部材の布ブレードの先端部に設けた孔部から刷毛の先端部を布ブレードの外部に突出させた吸込口体が知られている。
【０００３】
この従来の吸込口体は、刷毛の根元に塵埃が入り込み、この塵埃が回転ブラシに巻き付くことを清掃部材の布ブレードで防ぐ。
【先行技術文献】
【特許文献】
【０００４】
【特許文献１】特開２００５−８７６４４号公報
【発明の概要】
【発明が解決しようとする課題】
【０００５】
従来の吸込口体は、刷毛の根元に塵埃が入り込み、この塵埃が回転ブラシに巻き付くことを清掃部材の布ブレードで防ぐ一方、刷毛に塵埃が入り込んだ状態のまま被掃除面、例えば床面を掃除する。
【０００６】
そこで、本発明は、回転清掃体のブラシ毛の間に入り込んだ塵埃を回転清掃体の回転によって速やかに除去可能な吸込口体、および電気掃除機を提案する。
【課題を解決するための手段】
【０００７】
前記の課題を解決するため本発明の実施形態に係る吸込口体は、底面に配置される吸込口と、前記吸込口に繋がる吸込室と、前記吸込室を介して前記吸込口に繋がる吐出口と、を有する吸込口本体部と、前記吸込口本体部に回転可能に支持されて前記吸込室に配置され、かつ法線方向に延びるブラシ毛を有する回転清掃体と、前記吸込口本体部に収容される電動機と、前記電動機から前記回転清掃体へ駆動力を伝える動力伝達機構と、前記吸込室の内壁面から突出して前記ブラシ毛に接触し、前記吐出口に吸い込まれる空気を絞るブラシ毛塵埃除去部と、を備えている。
【０００８】
また、本発明の実施形態に係る電気掃除機は、掃除機本体と、前記掃除機本体に収容されて負圧を発生させる電動送風機と、前記電動送風機に流体的に接続される前記吸込口体と、を備えている。
【図面の簡単な説明】
【０００９】
【図１】本発明の実施形態に係る電気掃除機の外観の斜視図。
【図２】本発明の実施形態に係る吸込口体を右前方から示す斜視図。
【図３】本発明の実施形態に係る吸込口体の縦断面図。
【図４】本発明の実施形態に係る吸込口体を左前方から示す斜視図。
【図５】本発明の実施形態に係る吸込口体の正面図。
【図６】本発明の実施形態に係る吸込口体の縦断面図。
【発明を実施するための形態】
【００１０】
本発明に係る吸込口体および電気掃除機の実施形態について、図１から図６を参照して説明する。
【００１１】
図１は、本発明の実施形態に係る電気掃除機の外観の斜視図である。
【００１２】
図１に示すように、本実施形態に係る電気掃除機１は、いわゆるキャニスタ型である。電気掃除機１は、被掃除面を走行可能な掃除機本体２と、掃除機本体２に着脱可能な管部３と、を備えている。
【００１３】
掃除機本体２は、本体ケース５と、本体ケース５の左右それぞれの側部に設けられる一対の車輪６と、本体ケース５の前半部分に配置される着脱可能な塵埃分離装置７と、本体ケース５の後半部分に収容される電動送風機８と、主に電動送風機８を制御する本体制御部９と、電動送風機８に電力を導く電源コード１１と、を備えている。
【００１４】
掃除機本体２は、電源コード１１を通じて供給される電力で電動送風機８を駆動させる。電動送風機８の駆動によって発生する吸込負圧は、管部３に作用する。電気掃除機１は、管部３に作用する吸込負圧によって、被掃除面から塵埃を含んだ空気（以下、「含塵空気」と呼ぶ。）を吸い込み、含塵空気から塵埃を分離し、分離後の塵埃を捕集し、蓄積する一方、塵埃が除去された清浄な空気を排気する。
【００１５】
本体ケース５の正面部分には、本体接続口１２が設けられている。本体接続口１２は、掃除機本体２の流体的な入口である。本体接続口１２は、管部３を着脱可能な継手構造を有している。本体接続口１２は、管部３を塵埃分離装置７に流体的に接続する。
【００１６】
車輪６は、掃除機本体２を支える大径の走行輪である。掃除機本体２は、車輪６の他に本体ケース５の底面に設けられるキャスター（図示省略）を備えている。
【００１７】
塵埃分離装置７は、掃除機本体２に流れ込む含塵空気から塵埃を分離し、捕集し、蓄積する一方、塵埃が除去された清浄な空気を電動送風機８へ送る。塵埃分離装置７は、塵埃を濾過捕集するフィルタや、遠心分離(サイクロン分離)や直進分離（直進する空気と塵埃との慣性力の差で塵埃と空気とを分離する分離方式）などの慣性分離によって塵埃を蓄積する分離装置である。
【００１８】
電動送風機８は、塵埃分離装置７から空気を吸い込んで負圧（吸込負圧）を発生させる。
【００１９】
本体制御部９は、マイクロプロセッサ（図示省略）、およびマイクロプロセッサが実行する各種演算プログラム、演算プログラムのパラメータなどを記憶する記憶装置（図示省略）を備えている。記憶装置には、予め設定される複数の運転モードが記憶されている。予め設定される複数の運転モードは、管部３が入力を受け付ける使用者の操作に対応している。それぞれの運転モードには、相互に異なる入力値（電動送風機８の入力値）が設定されている。本体制御部９は、管部３が入力を受け付ける使用者の操作に応じて、その操作内容に対応する運転モードを予め設定される複数の運転モードから択一的に選択する。また、本体制御部９は、選択した運転モードの設定内容を記憶部から読み出し、読み出した設定内容にしたがって電動送風機８を運転する。
【００２０】
電源コード１１は、配線用差込接続器（図示省略、所謂コンセント）から掃除機本体２へ電力を供給する。電源コード１１の自由端部には、差込プラグ１４が設けられている。
【００２１】
管部３は、掃除機本体２から作用する負圧によって、被掃除面から含塵空気を吸い込む。また、管部３は、吸い込んだ含塵空気を掃除機本体２へ送る。管部３は、掃除機本体２の本体接続口１２に着脱可能に接続される継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱可能に接続される延長管２５と、延長管２５に着脱可能に接続される吸込口体２６と、を備える。
【００２２】
接続管１９は、本体接続口１２を通じて塵埃分離装置７に流体的に接続されている。
【００２３】
集塵ホース２１は、長尺で可撓な略円筒形のホースである。集塵ホース２１の一方の端部（ここでは、後方の端部）は、接続管１９に流体的に接続される。集塵ホース２１は、接続管１９を通じて塵埃分離装置７に流体的に接続されている。
【００２４】
手元操作管２２は、集塵ホース２１と延長管２５とを繋ぐ風路を有している。手元操作管２２の一方の端部（ここでは、後方の端部）は、集塵ホース２１の他方の端部（ここでは、前方の端部）に流体的に接続される。手元操作管２２は、集塵ホース２１および接続管１９を順次に通じて塵埃分離装置７に流体的に接続されている。
【００２５】
把持部２３は、電気掃除機１を操作するために使用者が手で把持できる部分である。把持部２３は、使用者の手で容易に把持できる適宜の形状で手元操作管２２から突出している。
【００２６】
操作部２４は、それぞれの運転モードの選択操作を受け付けるスイッチを備えている。具体的には、操作部２４は、電動送風機８の運転停止操作を受け付ける停止スイッチ２４ａと、電動送風機８の運転開始操作を受け付ける起動スイッチ２４ｂと、を備える。停止スイッチ２４ａおよび起動スイッチ２４ｂは、本体制御部９に電気的に接続されている。電気掃除機１の使用者は、操作部２４を操作して電動送風機８の運転モードを択一的に選択できる。電動送風機８の運転中、起動スイッチ２４ｂは、運転モードの選択スイッチとしても機能する。電動送風機８の運転中、本体制御部９は、起動スイッチ２４ｂから操作信号を取得する度に運転モードを強→中→弱→強→………の順に切り換える。なお、操作部２４は、単一の起動スイッチ２４ｂに代えて複数の運転モード選択スイッチ、例えば弱運転スイッチ（図示省略）、中運転スイッチ（図示省略）、および強運転スイッチ（図示省略）を個別に備えていても良い。
【００２７】
複数の筒状体を重ね合わせたテレスコピック構造の延長管２５は、伸縮可能な細長略円筒形の管である。延長管２５の一方の端部（ここでは、後方の端部）には、手元操作管２２の他方の端部（ここでは、前方の端部）に着脱可能な継手構造が設けられている。延長管２５は、手元操作管２２、集塵ホース２１、および接続管１９を通じて塵埃分離装置７に流体的に接続されている。
【００２８】
吸込口体２６は、木床やカーペットなどの被掃除面を走行可能あるいは滑走可能である。吸込口体２６は、走行状態または滑走状態において被掃除面に対向する底面に吸込口２８を有している。また、吸込口体２６は、吸込口２８に配置される回転可能な回転清掃体２９と、回転清掃体２９を回転駆動させる電動機３１と、を備えている。吸込口体２６の一方の端部（ここでは、後方の端部）には、延長管２５の他方の端部（ここでは、前方の端部）に着脱可能な継手構造が設けられている。この継手構造は、自在継手（ユニバーサルジョイント）である。吸込口体２６は、延長管２５、手元操作管２２、集塵ホース２１および接続管１９を通じて塵埃分離装置７に流体的に接続されている。つまり、吸込口体２６、延長管２５、手元操作管２２、集塵ホース２１、接続管１９、および塵埃分離装置７は、電動送風機８から吸込口２８へ通じる吸込風路である。
【００２９】
電気掃除機１は、電動送風機８が停止しているとき、起動スイッチ２４ｂで使用者の操作を受け付けると電動送風機８を始動させる。例えば、電気掃除機１は、電動送風機８が停止しているとき、起動スイッチ２４ｂが操作されると、先ず電動送風機８を強運転モードで運転し、再び起動スイッチ２４ｂが操作されると電動送風機８を中運転モードで運転し、三度、起動スイッチ２４ｂが操作されると電動送風機８を弱運転モードで運転し、以下同様に繰り返す。強運転モード、中運転モード、および弱運転モードは、予め設定される複数の運転モードである。強運転モード、中運転モード、弱運転モードの順に電動送風機８に対する入力値が小さい。始動した電動送風機８は、塵埃分離装置７から空気を排気してその内部を負圧（吸込負圧）にする。
【００３０】
塵埃分離装置７に作用する負圧は、本体接続口１２、接続管１９、集塵ホース２１、手元操作管２２、延長管２５、および吸込口体２６を順次に通じて吸込口２８に作用する。電気掃除機１は、吸込口２８に作用した負圧によって、被掃除面の塵埃を空気とともに吸い込んで被掃除面を掃除する。塵埃分離装置７は、電気掃除機１に吸い込まれた含塵空気から塵埃を分離し、蓄積する一方で、塵埃を分離した後の清浄な空気を電動送風機８へ送る。電動送風機８は塵埃分離装置７から吸い込んだ空気を掃除機本体２外へ排気する。
【００３１】
次に、吸込口体２６を詳細に説明する。
【００３２】
図２は、本発明の実施形態に係る吸込口体を右前方から示す斜視図である。
【００３３】
図２に示すように、本実施形態に係る吸込口体２６は、略直方体形の吸込口本体部３２と、吸込口本体部３２の後部に設けられる接続管部３３と、を備える。
【００３４】
なお、吸込口体２６の前後、左右、上下は、電気掃除機１の使用者を基準に説明する。図２中の実線矢印Ｘの方向は、吸込口体２６の前方または前進方向であり、その反対方向は後方または後退方向である。また、図２中の実線矢印Ｙの方向は、吸込口体２６の左方であり、その反対方向は右方である。さらに、図２中の実線矢印Ｚの方向は、吸込口体２６の上方であり、その反対方向は下方である。
【００３５】
吸込口本体部３２は、前後方向の寸法（奥行き）よりも左右方向の寸法（幅）の方が長い。換言すると、吸込口本体部３２は、前後方向に短辺を有し、左右方向に長辺を有する。吸込口本体部３２は、上方が開放された箱形の下ケース４１と、下ケース４１を覆う上ケース４２と、を備えている。上ケース４２は、前側に配置される上前ケース４３と、後ろ側に配置される上後ケース４４と、を備えている。
【００３６】
接続管部３３は、吸込口本体部３２の後部、かつ幅方向略中央部に設けられる。接続管部３３は、吸込口本体部３２に対して回転可能な回転接続管部４６と、回転接続管部４６に対して揺動可能な揺動接続管部４７と、を備えている。
【００３７】
回転接続管部４６は、吸込口体２６の前後方向に沿う軸（Ｘ軸に一致する軸またはＸ軸に平行な軸）回りに回転する。
【００３８】
揺動接続管部４７は、回転接続管部４６の回転軸（Ｘ軸に一致する軸またはＸ軸に平行な軸）に直交する軸回りに揺動する。揺動接続管部４７の自由端部は、延長管２５の自由端部に着脱可能な継手である。
【００３９】
図３は、本発明の実施形態に係る吸込口体の縦断面図である。
【００４０】
図４は、本発明の実施形態に係る吸込口体を左前方から示す斜視図である。
【００４１】
図５は、本発明の実施形態に係る吸込口体の正面図である。
【００４２】
なお、図４および図５では、上ケース４２、回転清掃体２９、および動力伝達機構５１のベルト（図示省略）が省略されている。
【００４３】
図３および図４に示すように、本実施形態に係る吸込口体２６は、吸込口本体部３２と、吸込口本体部３２に回転可能に支持される回転清掃体２９と、吸込口本体部３２に収容される電動機３１と、吸込口体制御部５３と、ブラシ毛塵埃除去部５５と、を備えている。
【００４４】
吸込口本体部３２の下ケース４１および上後ケース４４は、電動機３１が収容される機械室６１の大部分と、吸込口体制御部５３が収容される制御室６２と、を区画している。下ケース４１、上前ケース４３、および上後ケース４４は、回転清掃体２９が収容される吸込室６３を区画している。換言すると、下ケース４１は、回転清掃体２９が収容される吸込室６３の下半部と、電動機３１が収容される機械室６１の下半部と、吸込口体制御部５３が収容される制御室６２の下半部と、を区画している。上後ケース４４は、機械室６１の大部分の上半部および制御室６２の上半部を区画し、かつ機械室６１の大部分の上方および制御室６２の上方を塞いでいる。上前ケース４３、および上後ケース４４は、吸込室６３の上半部を区画し、かつ吸込室６３の上方を塞いでいる。上前ケース４３は、吸込室６３の外壁に相当する。上後ケース４４は、吸込室６３の上半部と機械室６１の上半部とを隔て、吸込室６３の上半部と制御室６２の上半部とを隔てている。上後ケース４４は、吸込室６３の内壁面７１の一部を有している。
【００４５】
吸込室６３は、吸込口本体部３２の前半部に区画されている。吸込室６３は、吸込口本体部３２の幅方向に延びている。吸込室６３は、吸込口本体部３２の底面に配置される吸込口２８に繋がっている。換言すると、吸込室６３は、吸込口２８を通じて開放されている。
【００４６】
機械室６１は、吸込口本体部３２の後半部の左半部から左側部に渡っている。換言すると、機械室６１は、吸込室６３の左側方、および後方の左半部を囲んでいる。機械室６１のうち吸込室６３の左側方部分は、上前ケース４３および下ケース４１で区画されている。
【００４７】
制御室６２は、吸込口本体部３２の後半部の右半部に配置されている。
【００４８】
回転清掃体２９は、吸込室６３に配置されている。回転清掃体２９の回転中心線は、吸込口本体部３２の幅方向に向けられている。回転清掃体２９は、法線方向に延びるブラシ毛６５を有している。ブラシ毛６５は、回転清掃体２９の長手方向に延びる複数条の刷毛であり、かつ回転清掃体２９の周方向に放射状に配置されている。
【００４９】
電動機３１は、機械室６１のうち吸込室６３の後方部分に配置される。電動機３１は、吸込口本体部３２の左側壁内面に向けて突出する出力軸（図示省略）を備えている。出力軸の回転中心線は、回転清掃体２９の回転中心線に実質的に平行している。電動機３１は、吸込口体２６の前進を補助する方向（図３中、実線矢印ｒ）へ回転清掃体２９を回転させる。
【００５０】
吸込口体制御部５３は、掃除機本体２から接続管１９、集塵ホース２１、手元操作管２２および延長管２５を介して供給される電力によって電動機３１を運転する。
【００５１】
吸込口体２６は、吸込室６３と接続管部３３（より詳しくは、回転接続管部４６）とを流体的に接続する中継管６６と、電動機３１を吸込口本体部３２に浮動支持する電動機支持部（図示省略）と、電動機３１の出力軸（図示省略）に固定される主動歯車（図示省略）と、回転清掃体２９に設けられる従動歯車（図示省略）と、主動歯車と従動歯車とに巻掛けられて電動機３１から回転清掃体２９へ駆動力を伝える無端状のベルト（図示省略）と、を備えている。
【００５２】
中継管６６は、吸込室６３を介して吸込口２８に繋がる吐出口である。中継管６６は、吸込室６３の後方中央部、つまり機械室６１と制御室６２との間に配置されている。中継管６６は、機械室６１と制御室６２とを隔てている。
【００５３】
ブラシ毛塵埃除去部５５は、吸込室６３の内壁面７１から突出して回転清掃体２９のブラシ毛６５に接触し、中継管６６に吸い込まれる空気を絞る。ブラシ毛塵埃除去部５５は、上後ケース４４に一体に設けられている。ブラシ毛塵埃除去部５５は、実質的に回転清掃体２９の全幅に渡って接触する。
【００５４】
ブラシ毛塵埃除去部５５は、回転清掃体２９の外形に倣う円弧形の接触面７２（図６）を有している。本実施形態に係る接触面７２は、回転清掃体２９の幅方向において、中継管６６に近いほど接触距離が短くなるよう、吸込室６３の左右それぞれの側部から中継管６６に向かって細くなる。なお、接触面７２は、回転清掃体２９の幅方向において、一様な接触距離を有していても良い。また、接触面７２は凸凹７３（図６中、二点鎖線）を有していても良い。
【００５５】
吸込室６３は、図３に示すように、吸込口体２６が被掃除面に配置されて回転清掃体２９が被掃除面ｆに接触している状態で、中継管６６に繋がる第一空間７５と、中継管６６から隔離される第二空間７６と、に区分される。第一空間７５は、被掃除面ｆ、回転清掃体２９、吸込室６３の内壁、およびブラシ毛塵埃除去部５５で区画されている。第二空間７６は、被掃除面ｆ、回転清掃体２９、吸込室６３の内壁、およびブラシ毛塵埃除去部５５で区画される一方、回転清掃体２９と被掃除面ｆとの接触部分ａと、回転清掃体２９とブラシ毛塵埃除去部５５との接触部分ｂと、によって中継管６６から隔てられている。
【００５６】
つまり、吸込口体２６は、従前の回転清掃体２９と被掃除面ｆとの接触部分ａに加えて、回転清掃体２９とブラシ毛塵埃除去部５５との接触部分ｂによって、第二空間７６側から中継管６６へ吸い込まれる空気を絞っている。
【００５７】
ブラシ毛塵埃除去部５５は、中継管６６のうち吸込口２８から遠い部位を覆って塞いでいる。ブラシ毛塵埃除去部５５は、中継管６６のうち吸込口２８から遠い部位を覆って塞ぐことによって、吸込室６３の第一空間７５と第二空間７６とを確実に区分する。ブラシ毛塵埃除去部５５は、正面視において、実質的に中継管６６の上半分を覆い隠している。
【００５８】
回転清掃体２９は、ブラシ毛塵埃除去部５５に接触するブラシ毛６５どうしの間を通じて中継管６６に吸い込まれる空気の流速を高めるのに十分な量のブラシ毛６５を備えている。つまり、ブラシ毛６５の量は、回転清掃体２９の周方向においても幅方向においても、連続（緻密）に設けられていても良いし、不連続（散漫）に設けられていても良い。ブラシ毛６５の量は、ブラシ毛６５がブラシ毛塵埃除去部５５に接することによってブラシ毛塵埃除去部５５の全幅における空気の流通量を減少させる程度であれば良い。すなわち、複数条のブラシ毛６５は、回転清掃体２９の周囲に実質的に一体化していても良いし、回転清掃体２９の周囲に螺旋状の巻かれていても良いし、回転清掃体２９の幅方向に直線状に延びていても良い。
【００５９】
ブラシ毛６５は、付着した塵埃を除去しやすいように、ポリテトラフルオロエチレン（polytetrafluoroethylene、PTFE、いわゆるテフロン（登録商標））の被覆を有するものであっても良い。ブラシ毛６５は、毛脚が長く、回転清掃体２９の回転に伴ってブラシ毛塵埃除去部５５に逐次に接触する長ブラシ毛７８と、毛脚が短く、ブラシ毛塵埃除去部５５から離間している短ブラシ毛７９と、を含んでいる。
【００６０】
長ブラシ毛７８は、フローリングのように硬い被掃除面を強く払拭し、その表面に付着する細かい塵埃を除去する。長ブラシ毛７８の毛脚の長さは、回転清掃体２９を回転させる際の負荷の観点において、ブラシ毛塵埃除去部５５に接触する範囲で極力短い方が良い。
【００６１】
短ブラシ毛７９は、カーペットのように柔らかく、毛の間に塵埃が入り込むような被掃除面から塵埃を叩き出す。短ブラシ毛７９の毛脚の長さは、第一空間７５と第二空間７６との間に流通する空気を極力絞る観点において、ブラシ毛塵埃除去部５５に接触しない範囲で極力長い方が良い。
【００６２】
図６は、図５のＶＩ−ＶＩ線における、本発明の実施形態に係る吸込口体の縦断面図である。
【００６３】
図４、および図５に加えて、図６に示すように、吸込口本体部３２は、機械室６１と吸込室６３とを繋ぐ電動機冷却風口８１を有している。
【００６４】
電動機冷却風口８１は、吸込室６３の第一空間７５と機械室６１とを繋げている。電動機冷却風口８１は、電動機３１から熱を奪った機械室６１内の空気を電動機３１の周囲から吸込室６３へ排気する。電動機冷却風口８１は、吸込口体２６の上下に延びるスリット状の開口である。電動機冷却風口８１は複数あり、電動機３１に沿って吸込室６３の幅方向に並んでいる。
【００６５】
電動機冷却風口８１は、少なくとも下ケース４１および上後ケース４４のいずれか一方にあれば良い。本実施形態に係る電動機冷却風口８１は、下ケース４１および上後ケース４４の両方に設けられている。
【００６６】
なお、ブラシ毛塵埃除去部５５は、孔８２（図５、および図６中、二点鎖線）を有していても良い。孔８２は、吸込口本体部３２の幅方向に複数あっても良い。孔８２は、吸込室６３の第一空間７５と第二空間７６とを繋ぐ。吸込口体２６は、孔８２の数量、および大きさ、つまり孔８２の総開口面積によって、回転清掃体２９とブラシ毛塵埃除去部５５との接触部分における空気の漏洩量を調整できる。この回転清掃体２９とブラシ毛塵埃除去部５５との接触部分における空気の漏洩量は、ブラシ毛塵埃除去部５５によってブラシ毛６５から掻き取られる塵埃を中継管６６へ運ぶ気流の速度を調整する。
【００６７】
吸込口体２６は、電動機３１を運転して回転清掃体２９を回転させる。回転中の回転清掃体２９は、ブラシ毛塵埃除去部５５にブラシ毛６５、特に長ブラシ毛７８を逐次に接触させる。ブラシ毛塵埃除去部５５は、被掃除面から払拭されて長ブラシ毛７８に付着する細かい塵埃を、長ブラシ毛７８から叩き落とす。このとき、吸込室６３の第一空間７５と第二空間７６とは、ブラシ毛塵埃除去部５５に接する長ブラシ毛７８によって区切られている。その結果、第二空間７６側から第一空間７５側に吸い込まれる空気の流速が高められる。この空気の流れは、長ブラシ毛７８から叩き落とされた塵埃を中継管６６へ強く流れ込ませる。
【００６８】
なお、回転清掃体２９が吸込口体２６の前進を補助する方向（図３中、実線矢印ｒ）へ回転しているため、長ブラシ毛７８がブラシ毛塵埃除去部５５に接触したとき、長ブラシ毛７８に付着している塵埃は、もっぱら第一空間７５に叩き落とされる。第一空間７５に叩き落とされた塵埃は、中継管６６へ強く流し込まれる。
【００６９】
なお、回転清掃体２９は吸込口体２６の後退を補助する方向（図３中、実線矢印ｒの逆向き）へ回転していても良い。この場合、長ブラシ毛７８がブラシ毛塵埃除去部５５に接触したとき、長ブラシ毛７８に付着している塵埃は、もっぱら第二空間７６に叩き落とされる。第二空間７６に叩き落とされた塵埃は、ブラシ毛塵埃除去部５５に接するブラシ毛６５どうしの間を通じて、または、ブラシ毛６５がブラシ毛塵埃除去部５５から離れて生じる隙間を通じて中継管６６へ強く流し込まれる。
【００７０】
このように、本実施形態に係る吸込口体２６および電気掃除機１は、ブラシ毛６５に接触し、中継管６６に吸い込まれる空気を絞るブラシ毛塵埃除去部５５を備えている。そのため、吸込口体２６および電気掃除機１は、ブラシ毛６５に付着する塵埃（ブラシ毛６５に入り込んだ塵埃）を叩き落とし、かつ周囲に比べて流速の高い空気の流れによって、ブラシ毛６５から叩き落とされた塵埃をブラシ毛６５から速やかに遠ざける。換言すると、吸込口体２６および電気掃除機１は、ブラシ毛６５から叩き落とされた塵埃がブラシ毛６５に再付着することを確実に防ぐ。
【００７１】
また、本実施形態に係る吸込口体２６および電気掃除機１は、中継管６６に吸い込まれる空気の流速を高めるのに十分な量のブラシ毛６５を備えている。そのため、吸込口体２６および電気掃除機１は、ブラシ毛６５から叩き落とされた塵埃をブラシ毛６５から速やかに遠ざけるための強い空気の流れを確実に発生させる。
【００７２】
さらに、本実施形態に係る吸込口体２６および電気掃除機１は、回転清掃体２９の外形に倣う円弧形の接触面７２を有するブラシ毛塵埃除去部５５を備えている。そのため、吸込口体２６および電気掃除機１は、中継管６６に吸い込まれる空気を絞り、ブラシ毛６５から叩き落とされた塵埃をブラシ毛６５から速やかに遠ざけるための強い空気の流れをより確実に発生させる。
【００７３】
さらにまた、本実施形態に係る吸込口体２６および電気掃除機１は、凸凹７３を有する接触面７２を備えている。凸凹７３は、ブラシ毛６５が接触面７２を行き過ぎる間にブラシ毛６５を複数回弾き、ブラシ毛６５に付着する塵埃（ブラシ毛６５に入り込んだ塵埃）をより確実に叩き落とす。
【００７４】
また、本実施形態に係る吸込口体２６および電気掃除機１は、中継管６６のうち吸込口２８から遠い部位を覆って塞ぐブラシ毛塵埃除去部５５を備えている。そのため、吸込口体２６および電気掃除機１は、吸込口２８から中継管６６へ流れ込む空気の流れを被掃除面ｆ側から第一空間７５を通じて中継管６６へ直接的に流れ込むよう集中させ、第二空間７６を迂回して中継管６６へ流れ込む空気の流れを減じて吸引力を向上させる。
【００７５】
さらに、本実施形態に係る吸込口体２６および電気掃除機１は、ポリテトラフルオロエチレンの被膜を有するブラシ毛６５を有する。そのため、吸込口体２６および電気掃除機１は、ブラシ毛塵埃除去部５５にブラシ毛６５を接触させる際に、塵埃を叩き落としやすい。
【００７６】
さらにまた、本実施形態に係る吸込口体２６および電気掃除機１は、回転清掃体２９の回転に伴ってブラシ毛塵埃除去部５５に逐次に接触する長ブラシ毛７８と、ブラシ毛塵埃除去部５５から離間している短ブラシ毛７９と、を備えている。そのため、吸込口体２６および電気掃除機１は、ブラシ毛６５がブラシ毛塵埃除去部５５に常に接触している場合に比べて、回転清掃体２９を回転駆動させる電動機３１の負荷を抑制できる。
【００７７】
また、本実施形態に係る吸込口体２６および電気掃除機１は、孔８２を有するブラシ毛塵埃除去部５５を備えている。そのため、吸込口体２６および電気掃除機１は、ブラシ毛塵埃除去部５５の周囲で増速する空気の増速度合いをブラシ毛６５の毛と毛の隙間に加えて孔８２の開口面積によっても調整できる。
【００７８】
さらに、本実施形態に係る吸込口体２６および電気掃除機１は、機械室６１と吸込室６３とを繋ぐ電動機冷却風口８１を備えている。そのため、吸込口体２６および電気掃除機１は、電動機３１を冷却するとともに、第一空間７５に吸込口２８以外から外気を導入してブラシ毛６５から叩き落とされた塵埃を中継管６６へ流し込む。
【００７９】
したがって、本実施形態に係る吸込口体２６、および電気掃除機１によれば、回転清掃体２９のブラシ毛６５の間に入り込んだ塵埃を回転清掃体２９の回転によって速やかに除去できる。
【００８０】
なお、本実施形態に係る電気掃除機１は、キャニスタ型のものに限らず、アップライト型、スティック型、あるいはハンディ型などのものであってもよい。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１…電気掃除機、２…掃除機本体、３…管部、５…本体ケース、６…車輪、７…塵埃分離装置、８…電動送風機、９…本体制御部、１１…電源コード、１２…本体接続口、１４…差込プラグ、１９…接続管、２１…集塵ホース、２２…手元操作管、２３…把持部、２４…操作部、２４ａ…停止スイッチ、２４ｂ…起動スイッチ、２５…延長管、２６…吸込口体、２８…吸込口、２９…回転清掃体、３１…電動機、３２…吸込口本体部、３３…接続管部、４１…下ケース、４２…上ケース、４３…上前ケース、４４…上後ケース、４６…回転接続管部、４７…揺動接続管部、５１…動力伝達機構、５３…吸込口体制御部、５５…ブラシ毛塵埃除去部、６１…機械室、６２…制御室、６３…吸込室、６５…ブラシ毛、６６…中継管、７１…内壁面、７２…接触面、７３…凸凹、７５…第一空間、７６…第二空間、７８…長ブラシ毛、７９…短ブラシ毛、８１…電動機冷却風口、８２…孔。
【図１】
2019025150.tif 000003
【図２】
2019025150.tif 000004
【図３】
2019025150.tif 000005
【図４】
2019025150.tif 000006
【図５】
2019025150.tif 000007
【図６】
2019025150.tif 000008